(57)【特許請求の範囲】
【請求項１】
光ディスクの所定領域に記録パワーを変化させてテスト記録し、該テスト記録データの再生信号品質に基づいて最適記録パワーを決定する光ディスク装置であって、
記録ストラテジを第１記録ストラテジに固定し、前記第１記録ストラテジを用いてテスト記録した場合に得られた最適記録パワーが許容記録パワーを超えるか否かを判定する手段と、
前記最適記録パワーが許容記録パワーを超えないと判定された場合に前記第１記録ストラテジをそのまま維持し、超えると判定された場合にのみ記録速度を維持しつつ前記第１記録ストラテジと異なる第２記録ストラテジに記録ストラテジを変更して最適記録パワーを再度決定する手段と、
を有することを特徴とする光ディスク装置。
【請求項２】
請求項１記載の装置において、
前記第２記録ストラテジは、前記第１記録ストラテジよりも必要記録パワーが少ない記録ストラテジであることを特徴とする光ディスク装置。
【請求項３】
請求項２記載の装置において、
前記第２記録ストラテジは、前記第１記録ストラテジよりも記録パルス時間幅が大きい記録ストラテジであることを特徴とする光ディスク装置。
【請求項４】
請求項２記載の装置において、
前記第２記録ストラテジは、前記最適記録パワーと前記許容記録パワーとの相違に基づき第１記録ストラテジの記録パルス時間幅を増大させたものであることを特徴とする光ディスク装置。
【請求項５】
光ディスクの所定領域に記録パワーを変化させてテスト記録し、該テスト記録データの再生信号品質に基づいて最適記録パワーを決定する光ディスク装置であって、
基準ストラテジ及び同一記録速度において前記基準ストラテジよりも必要記録パワーの少ない低パワーストラテジを用いてテスト記録する手段と、
前記基準ストラテジ及び前記低パワーストラテジによるテスト記録データの再生信号品質を評価する手段と、
前記基準ストラテジによるテスト記録データの前記再生信号品質に基づいて第１最適記録パワーを算出する手段と、
前記低パワーストラテジによるテスト記録データの前記再生信号品質に基づいて第２最適記録パワーを算出する手段と、
前記第１最適記録パワーが許容記録パワー以下である場合には前記第１最適記録パワーを最適記録パワーに決定し、前記第１最適記録パワーが許容記録パワーを超える場合には前記第２最適記録パワーを最適記録パワーに決定する手段と、
を有することを特徴とする光ディスク装置。
【請求項６】
光ディスクの所定領域に記録パワーを変化させてテスト記録し、該テスト記録データの再生信号品質に基づいて最適記録パワーを決定する光ディスク装置であって、
基準ストラテジを用いてテスト記録する手段と、
前記基準ストラテジによるテスト記録データの再生信号品質を評価する手段と、
前記基準ストラテジによるテスト記録データの前記再生信号品質に基づいて仮の最適記録パワーを算出する手段と、
前記仮の最適記録パワーが許容記録パワー以下である場合には前記基準ストラテジを用いて前記テスト記録を続行し最適記録パワーを決定し、前記仮の最適記録パワーが許容記録パワーを超える場合には同一記録速度において前記基準ストラテジよりも必要記録パワーの少ない低パワーストラテジを用いて前記テスト記録を続行し最適記録パワーを決定する手段と、
を有することを特徴とする光ディスク装置。
【請求項７】
請求項５、６のいずれかに記載の装置において、
前記低パワーストラテジは、前記基準ストラテジよりも記録パルス時間幅が大きいストラテジであることを特徴とする光ディスク装置。
【発明の詳細な説明】
【０００１】
【発明の属する技術分野】
本発明は光ディスク装置、特に記録可能な光ディスクにデータを記録する際のパワーの最適化に関する。
【０００２】
【従来の技術】
従来より、記録可能な光ディスクの所定領域（ＰＣＡエリア）にテストデータを記録し、このテストデータを再生してその信号品質を評価することにより記録パワーの最適化を図る技術（ＯＰＣ）が知られている。
【０００３】
しかしながら、光ディスクドライブ内の温度変化やレーザダイオード（ＬＤ）のばらつき等により、再生信号品質が最適値となる記録パワーがＬＤの最大許容パワーを越えてしまう場合があり、このような場合には本来の最適記録パワーで記録することができず最適パワーよりも小さいＬＤの最大許容パワーで記録せざるを得ない。
【０００４】
そこで、たとえば特開平９−２８８８２７号公報では、ＯＰＣを行った場合に最適記録パワーがＬＤの最大許容パワーを越えた場合、データ記録時の光ディスク回転数を調整することで記録品質を維持することが記載されている。具体的には、ＯＰＣにより得られた最適記録パワーがＬＤの最大許容パワーを超えている場合には、
【数１】
ｆ’＝ｆ・（Ｐｌｉｍ／Ｐｏ）2
により回転数を小さく補正する。ここで、ｆ’は調整後の回転数、ｆは調整前の通常の回転数、Ｐｌｉｍは最大許容パワー、Ｐｏは最適パワーである。このように回転数を下げることで、最適パワーを最大許容パワーに一致させてデータを記録できるとしている。
【０００５】
【発明が解決しようとする課題】
しかしながら、一般に回転数を高精度に制御することは困難である。また、回転数の低下は記録速度の低下を招くことになり、高速記録の要求を満たすことが困難となる。
【０００６】
一方、特開２００１−１４３２６３号公報には、記録パルスが先頭パルスと後続のパルス列で構成される場合に、先頭パルスと後続パルスのデューティと記録パワー条件を同時に変化させてＯＰＣを行い、ジッタが最小となる記録条件を探索する技術が記載されているが、基本的には３つのパラメータの組み合わせの数だけテスト記録する必要があり、ＯＰＣの処理が複雑化する問題がある。
【０００７】
本発明は、上記従来技術の有する課題に鑑みなされたものであり、その目的は、光ディスクドライブの温度やＬＤのばらつきなどにより、最適記録パワーがＬＤの最大許容パワーを越えるような場合であっても、記録速度の低下を招くことなく、かつ容易にデータを記録することができる光ディスク装置を提供することにある。
【０００８】
【課題を解決するための手段】
上記目的を達成するために、本発明は、光ディスクの所定領域に記録パワーを変化させてテスト記録し、該テスト記録データの再生信号品質に基づいて最適記録パワーを決定する光ディスク装置であって、記録ストラテジを第１記録ストラテジに固定し、前記第１記録ストラテジを用いてテスト記録した場合に得られた最適記録パワーが許容記録パワーを超えるか否かを判定する手段と、前記最適記録パワーが許容記録パワーを超えないと判定された場合に前記第１記録ストラテジをそのまま維持し、超えると判定された場合にのみ前記第１記録ストラテジと異なる第２記録ストラテジに記録ストラテジを変更して最適記録パワーを再度決定する手段とを有することを特徴とする。
【０００９】
ここで、前記第２記録ストラテジは、前記第１記録ストラテジよりも必要記録パワーが少ない記録ストラテジとすることが好適である。この場合、前記第２記録ストラテジは、前記第１記録ストラテジよりも記録パルス時間幅が大きい記録ストラテジとすることができる。また、前記第２記録ストラテジは、前記最適記録パワーと前記許容記録パワーとの相違に基づき第１記録ストラテジの記録パルス時間幅を増大させたものとすることができる。
【００１０】
また、本発明は、光ディスクの所定領域に記録パワーを変化させてテスト記録し、該テスト記録データの再生信号品質に基づいて最適記録パワーを決定する光ディスク装置であって、基準ストラテジ及び前記基準ストラテジよりも必要記録パワーの少ない低パワーストラテジを用いてテスト記録する手段と、前記基準ストラテジ及び前記低パワーストラテジによるテスト記録データの再生信号品質を評価する手段と、前記基準ストラテジによるテスト記録データの前記再生信号品質に基づいて第１最適記録パワーを算出する手段と、前記低パワーストラテジによるテスト記録データの前記再生信号品質に基づいて第２最適記録パワーを算出する手段と、前記第１最適記録パワーが許容記録パワー以下である場合には前記第１最適記録パワーを最適記録パワーに決定し、前記第１最適記録パワーが許容記録パワーを超える場合には前記第２最適記録パワーを最適記録パワーに決定する手段とを有することを特徴とする。
【００１１】
また、本発明は、光ディスクの所定領域に記録パワーを変化させてテスト記録し、該テスト記録データの再生信号品質に基づいて最適記録パワーを決定する光ディスク装置であって、基準ストラテジを用いてテスト記録する手段と、前記基準ストラテジによるテスト記録データの再生信号品質を評価する手段と、前記基準ストラテジによるテスト記録データの前記再生信号品質に基づいて仮の最適記録パワーを算出する手段と、前記仮の最適記録パワーが許容記録パワー以下である場合には前記基準ストラテジを用いて前記テスト記録を続行し最適記録パワーを決定し、前記仮の最適記録パワーが許容記録パワーを超える場合には前記基準ストラテジよりも必要記録パワーの少ない低パワーストラテジを用いて前記テスト記録を続行し最適記録パワーを決定する手段とを有することを特徴とする。
【００１２】
前記低パワーストラテジは、前記基準ストラテジよりも記録パルス時間幅が大きいストラテジとすることができる。
【００１３】
このように、本発明に係る光ディスク装置においては、ある記録ストラテジ（第１ストラテジあるいは基準ストラテジ）で最適記録パワーを算出した場合に、この記録パワーが光ディスク装置の最大許容パワーを超えた場合に他の記録ストラテジに切り換えて最適記録パワーの減少を図るものである。これにより、従来のように最適記録パワー以外のパワーで記録を行う、あるいは可能な組み合わせの中から最適な組み合わせを選択するなどの処理を行うことなく、記録品質を維持することができる。
【００１４】
記録ストラテジを規定するパラメータとしては、記録パルス時間幅、デューティ、マルチパルスの場合のパルス数などがあるが、例えばパルス時間幅を増大させることで必要パワーを減少させることができる。もちろん、これ以外に必要パワーを減少させ得る任意のパラメータを調整して記録ストラテジを設定することができる。
【００１５】
【発明の実施の形態】
以下、図面に基づき本発明の実施形態について説明する。
【００１６】
＜第１実施形態＞
図１には、本実施形態に係る光ディスク装置の要部構成ブロック図が示されている。光ディスク１０は、スピンドルモータ１２によりＣＡＶあるいはＣＬＶ制御される。
【００１７】
光ピックアップ部１４は光ディスク１０に対向して設けられ、レーザダイオード（ＬＤ）から記録パワーのレーザ光を射出して光ディスク１０にデータを記録する。データの記録は、光ディスク１０の記録膜の一部を溶融昇華してピットを形成してもよく、結晶状態を加熱急冷してアモルファス状態に遷移させることで行ってもよい。
【００１８】
データ記録時には、記録データがエンコーダ１８に供給され、エンコーダ１８にてエンコードされたデータがＬＤ駆動部１６に供給される。ＬＤ駆動部１６は、エンコードされたデータに基づき駆動信号を作成し、光ピックアップ部１４のＬＤに供給する。また、ＬＤ駆動部１６には、制御部２４からの制御信号が供給され、この制御信号により記録ストラテジ並びに記録パワーが決定される。
【００１９】
一方、データ再生時には、光ピックアップ部１４のＬＤは再生パワー（再生パワー＜記録パワー）のレーザ光を照射し、その反射光を受光して電気信号に変換し再生ＲＦ信号を得る。再生ＲＦ信号は再生ＲＦ信号処理部２０に供給される。
ＲＦ信号処理部２０は、増幅アンプやイコライザ、二値化部、ＰＬＬ部などを有し、再生ＲＦ信号を二値化し、さらに同期クロックを生成してデコーダ２２に供給する。デコーダ２２は、供給されたこれらの信号に基づきデータをデコードし、再生データとして出力する。
【００２０】
また、ＲＦ信号処理部２０からの再生ＲＦ信号は、信号品質評価用に制御部２４にも供給される。なお、データ再生時には、この他にトラッキングエラー信号やフォーカスエラー信号を生成してフォーカスサーボあるいはトラッキングサーボを制御する回路、光ディスク１０に形成されたウォブル信号を再生してアドレス復調あるいは回転数制御に用いる回路もあるが、これらについては従来技術と同様であるのでその説明は省略する。
【００２１】
制御部２４は、ＬＤ駆動部１６を駆動してＯＰＣを実行させるとともに、各テスト記録データの信号品質を評価し、最適記録パワーを決定する。この際、制御部２４は、予め定められた記録ストラテジでＯＰＣを行い、最適パワーを算出する。そして、この最適パワーがＬＤの最大許容パワー以下である場合にはそのときの記録ストラテジ及び最適パワーを用いて記録を行い、最適パワーがＬＤの最大許容パワーを超える場合にのみ記録ストラテジを変化させて再度最適パワーの探索を実行する。最適パワーが最大許容パワーを超える場合にのみ記録ストラテジを変化させることで、ＯＰＣの処理を簡略化しつつ、高品質のデータ記録を行うことができる。
【００２２】
本実施形態の光ディスク装置は以上のような構成であり、以下、制御部２４における最適記録パワー決定処理について詳細に説明する。
【００２３】
図２には、制御部２４の処理フローチャートが示されている。まず、制御部２４は、光ピックアップ部１４からの読み取り信号に基づき光ディスク１０の所定領域に予め書き込まれているディスクＩＤを読み取り、光ディスク１０の種類を判別する。光ディスク１０の種類は、ＣＤ−Ｒ、ＲＷ、ＤＶＤ−Ｒ等の区別やメーカの区別である。本実施形態では、一例としてＤＶＤ−Ｒの場合を例にとり説明する。記録条件、例えば再生信号品質の目標値が書き込まれている場合には、これらの条件も再生し、制御部２４のメモリに記憶する。目標値としては、本実施形態では再生信号のベータ値（β値）を用いる。
【００２４】
光ディスク１０の種類を判別した後、制御部２４はデータを記録する際の記録ストラテジを設定する（Ｓ１０２）。記録ストラテジとは、所望の大きさ、形状のピットを形成するための記録用ＬＤ駆動パルスであり、本実施形態では多数の組み合わせの中から「しらみつぶし」的に選択するのではなく、基準ストラテジＳｔｒと、低パワーストラテジＳｔｌを設定する。基準ストラテジＳｔｒは、Ｓ１０１で読み取ったディスクＩＤから決定され、低パワーストラテジＳｔｌはこの基準ストラテジＳｔｒを修正して得られる。
【００２５】
図３には、Ｓ１０２におけるストラテジ設定の一部が示されている。図において、（ａ）はエンコーダから供給される記録パルスであり、例えば３Ｔ信号及び４Ｔ信号を含むものとする。（ｂ）は基準記録ストラテジＳｔｒであり、３Ｔ、４Ｔに対してそれぞれ
３Ｔ→１．５Ｔ
４Ｔ→１．５Ｔ＋０．６Ｔ
が割り当てられ、このようなパルス信号でＬＤを駆動しデータを記録する。なお、３Ｔでは単一のパルスであるが、４Ｔでは複数のパルス（マルチパルス）でデータを記録する。マルチパルスの先頭パルスの時間幅が１．５Ｔであり、その後に続くパルスの時間幅が０．６Ｔである。この例では４Ｔとして２つのパルスでデータを記録しているが、必要に応じて３個以上のマルチパルスでデータを記録することもできる、５Ｔ以上の信号についても同様である。 この基準ストラテジは、一般に光ディスク１０の種類やメーカ毎に設定される最適と思われるストラテジである。
【００２６】
一方、（ｃ）には低パワー用記録ストラテジＳｔｓが示されており、基準記録ストラテジＳｔｒに対して
３Ｔ信号について
１．５Ｔ→１．６Ｔ
４Ｔ信号について、その先頭パルスが、
１．５Ｔ→１．６Ｔ
と基準ストラテジに対して時間幅が増大している。このように時間幅を増大させることで、光ディスク１０に対してより多くレーザ光エネルギーを与えることができ、したがって同一ピットを形成する際の記録パワーが少なくてすむようになる。「低パワーストラテジ」とは、このように基準ストラテジよりも同一ピットを形成する際に必要となるＬＤの記録パワーが低いことを意味する。低パワーストラテジを得るためには、このように基準ストラテジの時間幅を増大させればよいが、その増大量については所定量としてもよく、あるいは後述するように適宜調整することもできる。
【００２７】
再び図２に戻り、以上のようにして基準ストラテジＳｔｒと低パワーストラテジＳｔｌを設定した後、制御部２４はこれら基準ストラテジＳｔｒ及び低パワーストラテジＳｔｌを用いてテスト記録する（Ｓ１０３）。このテスト記録は、例えば光ディスク１０のＰＣＡエリアに１６セクタが存在する場合、最初の８セクタを基準ストラテジＳｔｒでテスト記録し、残りの８セクタを低パワーストラテジＳｔｌでテスト記録することができる。
【００２８】
２個のストラテジＳｔｒ、Ｓｔｌでそれぞれ記録パワーを変化させてテスト記録した後、各テスト記録データの再生ＲＦ信号をＲＦ信号処理部２０から入力し、各ストラテジにおける再生信号品質としてβ値を測定する（Ｓ１０４）。β値は、再生ＲＦ信号をＡＣ結合（直流成分を遮断した信号）した時の波形におけるピークレベルＡ１とボトムレベルＡ２とから
【数２】
β＝（｜Ａ１｜−｜Ａ２｜）／（｜Ａ１｜＋｜Ａ２｜）
により算出される。βは記録パワーに従って単調増加する。制御部２４は、上式に従い基準ストラテジＳｔｒのβと低パワーストラテジＳｔｌのβとを記録パワー毎にそれぞれ算出する。
【００２９】
そして、各ストラテジにおいて、制御部２４のメモリに記憶された目標値β０が得られる最適記録パワーを各ストラテジ毎に算出する（Ｓ１０５）。最適記録パワーは、記録パワー毎にβ値をプロットし、目標値β０（例えば０．０４）が得られる記録パワーを直線近似或いは外挿により算出することができる。基準ストラテジＳｔｒにおける最適記録パワーをＰｔｒ、低パワーストラテジＳｔｌにおける最適記録パワーをＰｔｌとする。記録パルスの時間幅が増大すると、その分だけ必要なパワーは減少するからＰｔｒ＞Ｐｔｌである。
【００３０】
図４には、基準ストラテジＳｔｒにおける最適記録パワーＰｔｒ算出の様子が示されている。図において、横軸は基準ストラテジＳｔｒ下における記録パワーであり、縦軸は再生ＲＦ信号のβ値である。目標値β０が得られる最適記録パワーＰｔｒが外挿で算出されることを示している。
【００３１】
各ストラテジにおける最適記録パワーを算出した後、制御部２４は予め制御部２４のメモリに記録されているＬＤの最大許容パワーＰｌｉｍと基準ストラテジにおける最適記録パワーＰｔｒとを大小比較する（Ｓ１０６）。なお、最大許容パワーＰｌｉｍはＬＤが出し得る最大パワーでもよいが、マージンを考慮して最大パワーよりも所定量だけ低いパワーに設定してもよい。そして、基準ストラテジの最適記録パワーＰｔｒが最大許容パワーＰｌｉｍ以下である場合（Ｓ１０６にてＹＥＳ）には、このままデータを記録できると判定し、記録ストラテジを基準ストラテジＳｔｒのままとし、最適記録パワーをＰｔｒとして光ディスク１０にデータを記録する（Ｓ１０７）。
【００３２】
一方、Ｓ１０６にて最適記録パワーＰｔｒが最大許容パワーＰｌｉｍを越える場合、この条件ではデータを記録することができないため、制御部２４はＳ１０２で設定した低パワーストラテジＳｔｌを記録ストラテジに決定し、また最適記録パワーとしてＳ１０５で算出したＰｔｌに決定して光ディスク１０にデータを記録する（Ｓ１０８）。ＰｔｌはＰｔｒより小さく、また低パワーストラテジＳｔｌを適当に設定することでＰｔｌをＰｌｉｍ以下とすることができるため、Ｐｔｌでデータを記録することで記録速度を低下させることなく高品質なデータ記録を行うことができる。
【００３３】
なお、本実施形態においては基準ストラテジのパルス時間幅を増大させることで低パワー記録ストラテジを作成しているが、図５に示されるマルチパルスにおいて、先頭パルスの時間幅Ｔ１を増大させる他、マルチパルスのパルス数Ｃを増大させる、あるいはマルチパルスのデューティを変化させる、あるいは時間幅Ｔ１とデューティの両方を変化させることにより低パワーストラテジを得ることができる。
【００３４】
また、ピット形状を所望の形に整形するために、図６に示されるように記録パルスの初期において記録パワーをブーストするような記録ストラテジを用いる場合もある（なお、図ではマルチパルスではなく、ＣＤ−Ｒのように単一パルスを用いる場合を想定している。マルチパルスでも同様なブーストパルスを用いることが可能である）。このようなストラテジにおいては、低パワーストラテジを設定するためには基準ストラテジに対してブースト期間Ｔ２を増大させるなども好適である。
【００３５】
＜第２実施形態＞
図７及び図８には、本実施形態における制御部２４の処理フローチャートが示されている。なお、基本構成は図１と同様である。
【００３６】
まず、制御部２４は光ディスク１０のＩＤを読み取り、光ディスク１０の種類を判別する（Ｓ２０１）。光ディスク１０の種類を判別した後、制御部２４は記録ストラテジを設定する（Ｓ２０２）。記録ストラテジとしては、上述した第１実施形態と同様に基準ストラテジＳｔｒ及び低パワーストラテジＳｔｌを設定する。
【００３７】
２つの記録ストラテジを設定した後、ＰＣＡエリアの１６セクタのうち４セクタのみを用いて基準ストラテジＳｔｒによるテスト記録を行う（Ｓ２０３）。なお、１６セクタのうち４セクタのみにテスト記録を行うのは、ここでは最適記録パワーを求めるのではなく、最適と考えられる記録パワーを大まかに決定し、この仮最適記録パワーが最大許容パワーを越えるか否かを判定するためである。したがって、大まかに最適記録パワーを求めるに足るセクタ数だけ用いればよく、例えば３セクタあるいは５セクタを用いてもよい。セクタ数は任意である。４セクタのみで基準ストラテジＳｔｒによるテスト記録（記録パワーを振った記録）を行った後、その再生ＲＦ信号から基準ストラテジによるβ値を測定する。そして、記録パワーとβ値の関係に基づき、予め定められた目標値β０が得られる最適記録パワーＰｐを算出する（Ｓ２０５）。第１実施形態と異なり、本実施形態ではテスト記録は基準ストラテジのみにより実行し、低パワーストラテジによるテスト記録はこの段階では実行していない点に注意されたい。
【００３８】
基準ストラテジによる仮の最適記録パワーＰｐを算出した後、制御部２４は予め定められた最大許容パワーＰｌｉｍと仮の最適記録パワーＰｐとを大小比較する（Ｓ２０６）。仮の最適記録パワーＰｐが最大許容パワーＰｌｉｍ以下であれば、基準ストラテジＳｔｒで記録しても問題ないと判定し、記録ストラテジをＳｔｒに決定し（Ｓ２０７）、ＰＣＡエリアの１６セクタのうちテスト記録していない残り１２セクタを用いて真の最適記録パワーを算出する。すなわち、１２セクタを用いてテスト記録を続行し（Ｓ２０８）、それぞれの記録パワーにおけるβを算出して（Ｓ２０９）、目標値β０となる記録パワーＰｔｒを最適記録パワーに決定する（Ｓ２１０）。この場合、低パワーストラテジによるテスト記録は一切行われず、ＯＰＣの処理が簡略化することになる。
【００３９】
一方、仮の最適記録パワーＰｐが最大許容パワーＰｌｉｍを越える場合には、図８に示されるように記録ストラテジを低パワーストラテジＳｔｌに決定し（Ｓ２１１）、ＰＣＡエリア１６セクタのうちの残り１２セクタで低パワーストラテジＳｔｌによるテスト記録を行い（Ｓ２１２）、各記録パワーにおけるβを算出して（Ｓ２１３）、目標値β０となるＰｔｌを算出する（Ｓ２１４）。そして、最適記録パワーとしてこのＰｔｌを採用し、光ディスク１０にデータを記録する。
【００４０】
このように、本実施形態においてはまず基準ストラテジのみでテスト記録を行い、該テスト記録に基づく最適記録パワー（仮の最適記録パワー）が最大許容パワーを越えた場合にのみ低パワーストラテジＳｔｌによるテスト記録を行うため、処理が簡易化する。
【００４１】
＜第３実施形態＞
図９には、本実施形態における制御部２４の処理フローチャートが示されている。なお、基本構成は図１と同様である。
【００４２】
本実施形態において上述した第２実施形態と異なる点は、制御部２４が低パワーストラテジとして固定的なものを用いるのではなく、適応的に設定する点である。すなわち、第２実施形態においては、予め基準ストラテジＳｔｒに対して低パワーストラテジＳｔｌを設定していたが、本実施形態においては基準ストラテジでテスト記録を行って得られた仮の最適記録パワーＰｐが最大許容パワーＰｌｉｍを越える場合に、最大許容パワーＰｌｉｍと仮の最適記録パワーＰｐとの差分量（Ｐｌｉｍ−Ｐｐ）に応じて低パワーストラテジＳｔｌを設定する（Ｓ３０８）。差分量（Ｐｌｉｍ−Ｐｐ）に応じて設定する方法としては種々考えられ、例えば図１０に示されるように差分量（Ｐｌｉｍ−Ｐｐ）に対して比例するように基準ストラテジに対する記録パルスの時間幅増大量Δｔを増大させる等である。
【００４３】
差分量（Ｐｌｉｍ−Ｐｐ）が大きいほどΔｔを増大させて記録パルス幅を大きくすることで、より少ないパワーで最適化できる。差分量（Ｐｌｉｍ−Ｐｐ）ではなく、両者の比率Ｐｐ／Ｐｌｉｍに応じて時間幅を増大させることも可能である。
【００４４】
以上、本発明の実施形態について説明したが、本発明はこれに限定されるものではなく種々の変更が可能である。例えば、本実施形態では低パワーストラテジとして１つのストラテジＳｔｌを設定しているが、低パワーストラテジとして２つ以上設定し、これらのストラテジに対応する最適記録パワーのうち、最大許容パワーＰｌｉｍ以下であって最もパワーの大きいあるいは最もマージンの大きいものを選択することも好適である。但し、低パワーストラテジとして多くのストラテジを容易するとその分だけＯＰＣの処理が複雑化するため、低パワーストラテジとして数個程度が適当であろう。
【００４５】
また、基準ストラテジとしては、光ディスク１０から読み取ったディスクＩＤに対応するストラテジとしているが、ディスクＩＤから決定されたストラテジに対して所定量補正したストラテジを基準ストラテジに設定することも可能である。  また、光ディスク１０のランドとグルーブそれぞれにデータを記録する場合、ランドとグルーブそれぞれにおいて基準ストラテジと低パワーストラテジを設定し、それぞれにおいて記録パワーと記録ストラテジを決定することもできる。この場合、最適記録パワーを算出するための目標β０はランドとグルーブで異なる値を用いてもよい。
【００４６】
また、本実施形態では、再生信号品質としてβ値を用いているが、これに限らずジッタやエラーレートを用いて評価してもよい。
【００４７】
また、本実施形態において基準ストラテジにおいて最適記録パワーを算出する際の目標β値と低パワーストラテジにおいて最適記録パワーを算出する際の目標β値を同一としたが、ストラテジに応じて目標β値を変化させてもよい。
【００４８】
また、本実施形態では、ＤＶＤ−Ｒを例にとり説明したが、ＣＤ−ＲやＣＤ−ＲＷの場合にも同様に適用することができる。この場合、記録すべきデータの長さ３Ｔ〜１１Ｔに対応したパルス長を有する基準ストラテジに対し、それぞれのパルス時間幅を増大させた低パワー記録ストラテジを用いることができる。
【００４９】
さらに、本実施形態ではセクタ単位でＯＰＣを行っているが、プリピット単位で記録パワーを変化させてＯＰＣを行うこともできる。
【００５０】
【発明の効果】
以上説明したように、本発明によれば光ディスクドライブ内の温度やＬＤのばらつきによらず、かつ、記録速度を低下させることなく高品質のデータ記録を行うことができる。
【図面の簡単な説明】
【図１】  実施形態にかかる光ディスク装置の構成ブロック図である。
【図２】  第１実施形態における制御部の処理フローチャートである。
【図３】  基準ストラテジと低パワーストラテジの関係を示す説明図である。
【図４】  記録パワーとβ値の関係を示すグラフ図である。
【図５】  他の低パワーストラテジ説明図である。
【図６】  さらに他の低パワーストラテジ説明図である。
【図７】  第２実施形態における制御部の処理フローチャート（その１）である。
【図８】  第２実施形態における制御部の処理フローチャート（その２）である。
【図９】  第３実施形態における制御部の処理フローチャートである。
【図１０】  差分量Ｐｌｉｍ−Ｐｐと時間幅増大量Δｔとの関係を示すグラフ図である。
【符号の説明】
１０  光ディスク、１２  スピンドルモータ、１４  光ピックアップ部、１６ＬＤ駆動部、１８  エンコーダ、２０  ＲＦ信号処理部、２２  デコーダ、２４  制御部。
【図１】
0003772710.tif 000002
【図２】
0003772710.tif 000003
【図３】
0003772710.tif 000004
【図４】
0003772710.tif 000005
【図５】
0003772710.tif 000006
【図６】
0003772710.tif 000007
【図７】
0003772710.tif 000008
【図８】
0003772710.tif 000009
【図９】
0003772710.tif 000010
【図１０】
0003772710.tif 000011